(57)【要約】【課題】  この考案は誰でも簡単に折り畳み収納可能で、見栄えが良く、且つ、構造が簡素でコスト的にも安価な折り畳み式経机を開発・提供する事にある。【解決手段】  経机は天板と脚板と補強板から成り、該脚板は天板下面の左右両側部に垂直方向にそれぞれ設け、且つ、天板に対して水平方向の枢軸を有する蝶番を介して、水平方向にそれぞれ折り畳み可能にして設け、且つ、それぞれの脚板の上下方向のほぼ中程一端に係止用凹部をそれぞれ設け、補強板には、左右両端に係止用凸部をそれぞれ設け、且つ、使用時は左右両脚板を天板下面に対して、垂直方向に回動し、且つ、補強板の左右係止用凸部を左右両脚板の係止用凹部にそれぞれ嵌挿し固着して設け、又、未使用時は補強板の左右係止用凸部を左右それぞれの脚板の係止用凹部から分離し、左右両脚板をそれぞれ水平に折り畳んで収納可能にしたものである。【選択図】  図５
0003127400.tif 000002
【実用新案登録請求の範囲】
【請求項１】
仏壇の手前に設置して、線香や蝋燭等を立て、経文を置いて読経する為の経机であって、該経机は天板（１）と脚板（２）（２）と補強板（３）から成り、該脚板（２）（２）は天板下面の左右両側部に垂直方向にそれぞれ設け、且つ、天板（１）に対して水平方向の枢軸を有する蝶番（Ｔ）（Ｔ）を介して、水平方向にそれぞれ折り畳み可能にして設け、且つ、それぞれの脚板（２）（２）の上下方向のほぼ中程一端に係止用凹部（２ｂ）（２ｂ）をそれぞれ設け、補強板（３）には、左右両端に係止用凸部（３ａ）（３ａ’）をそれぞれ設け、且つ、使用時は左右両脚板（２）（２）を天板（１）下面に対して、垂直方向に回動し、且つ、補強板（３）の左右係止用凸部（３ａ）（３ａ’）を左右両脚板（２）（２）の係止用凹部（２ｂ）（２ｂ）にそれぞれ嵌挿し固着して設け、又、未使用時は補強板（３）の左右係止用凸部（３ａ）（３ａ’）を左右それぞれの脚板（２）（２）の係止用凹部（２ｂ）（２ｂ）から分離し、左右両脚板（２）（２）をそれぞれ水平に折り畳んで収納可能にした事を特徴とする折り畳み式経机。
【考案の詳細な説明】
【技術分野】
【０００１】
この考案は、折り畳み式経机に関するものである。
【背景技術】
【０００２】
従来、仏壇や経机は、本来なら常時定位置に安置するのが望ましいが、人口の増加や経済の発展に伴い、住宅事情や生活環境が著しく変化しているというのが実態で、特に家族の多い家庭で、アパート暮らしの方等にとっては場所的な問題や経済的にも余裕が無く、大きな仏壇や仏具を安置している家庭が少なく成っている。
【０００３】
又、仏壇も最近では小型化・簡素化・一体化されつつある中、特に経机は尚更場所をとる為、盆やお正月や法事の時以外は邪魔になっているというのが実情で、収納するにしても場所的に嵩張り収納出来ないというのが現状である。
【０００４】
そこで、これまでに出願されている経机の特許文献を参考の為、紹介する。（特許文献１〜３参照。）
【特許文献１】特開平９−１２１９４６
【特許文献２】実開平６−０５８７８０
【特許文献３】実開平５−０２０６７８
【考案の開示】
【考案が解決しようとする課題】
【０００５】
そこで、上記課題を解決する為に、この考案は誰でも簡単に折り畳み収納可能で、見栄えが良く、且つ、構造が簡素でコスト的にも安価な折り畳み式経机を開発・提供する事にある。
【課題を解決するための手段】
【０００６】
この課題を解決する為の手段として、経机は天板と脚板と補強板から成り、該脚板は天板下面の左右両側部に垂直方向にそれぞれ設け、且つ、天板に対して水平方向の枢軸を有する蝶番を介して、水平方向にそれぞれ折り畳み可能にして設け、且つ、それぞれの脚板の上下方向のほぼ中程一端に係止用凹部をそれぞれ設け、補強板には、左右両端に係止用凸部をそれぞれ設け、且つ、使用時は左右両脚板を天板下面に対して、垂直方向に回動し、且つ、補強板の左右係止用凸部を左右両脚板の係止用凹部にそれぞれ嵌挿し固着して設け、又、未使用時は補強板の左右係止用凸部を左右それぞれの脚板の係止用凹部から分離し、左右両脚板をそれぞれ水平に折り畳んで収納可能にしたものである。
【考案の効果】
【０００７】
この考案の効果として、経机は天板と脚板と補強板から成り、該脚板は天板下面の左右両側部に垂直方向にそれぞれ設け、且つ、天板に対して水平方向の枢軸を有する蝶番を介して、水平方向にそれぞれ折り畳み可能にして設け、且つ、それぞれの脚板の上下方向のほぼ中程一端に係止用凹部をそれぞれ設け、補強板には、左右両端に係止用凸部をそれぞれ設け、且つ、使用時は左右両脚板を天板下面に対して、垂直方向に回動し、且つ、補強板の左右係止用凸部を左右両脚板の係止用凹部にそれぞれ嵌挿し固着して設け、又、未使用時は補強板の左右係止用凸部を左右それぞれの脚板の係止用凹部から分離し、左右両脚板をそれぞれ水平に折り畳んで収納可能にした事で、誰でも簡単に折り畳み収納可能で、見栄えが良く、且つ、構造が簡素でコスト的にも安価である等、極めて有益なる効果を奏するものである。
【考案を実施するための最良の形態】
【０００８】
この考案の最良の形態として、仏壇や仏具の大きさに調和する材質・寸法を設定し、且つ、商品性、経済性、安全性を高める為に、構造や美観を重要視した形状・色彩に仕上げる事が重要である。
【実施例１】
【０００９】
そこで、この考案の一実施例を図１〜図３に基づいて詳述すると、仏壇の手前に設置して、線香や蝋燭等を立て、経文を置いて読経する為の経机であって、該経机は天板（１）と脚板（２）（２）と補強板（３）から成り、該脚板（２）（２）は天板下面の左右両側部に垂直方向にそれぞれ設け、且つ、天板（１）に対して水平方向の枢軸を有する蝶番（Ｔ）（Ｔ）を介して、水平方向にそれぞれ折り畳み可能にして設け、且つ、それぞれの脚板（２）（２）の上下方向のほぼ中程一端に係止用凹部（２ｂ）（２ｂ）をそれぞれ設け、補強板（３）には、左右両端に係止用凸部（３ａ）（３ａ’）をそれぞれ設け、且つ、使用時は左右両脚板（２）（２）を天板（１）下面に対して、垂直方向に回動し、且つ、補強板（３）の左右係止用凸部（３ａ）（３ａ’）を左右両脚板（２）（２）の係止用凹部（２ｂ）（２ｂ）にそれぞれ嵌挿し固着して設け、又、未使用時は補強板（３）の左右係止用凸部（３ａ）（３ａ’）を左右それぞれの脚板（２）（２）の係止用凹部（２ｂ）（２ｂ）から分離し、左右両脚板（２）（２）をそれぞれ水平に折り畳んで収納可能にした事を特徴とする折り畳み式経机から構成される。
【００１０】
次に、この考案の材質・寸法形状・構造について説明すると、まず材質は、蝶番（Ｔ）以外は全て木製で、天板（１）の寸法形状は、板厚寸法１３ｍｍ×横幅寸法６００ｍｍ×奥行き寸法３５０ｍｍで、脚板（２）の寸法形状は、板厚寸法１２ｍｍ×横幅寸法２６０ｍｍ×高さ寸法２４０ｍｍで、脚板（２）の左右底部に板厚６ｍｍ×横幅寸法２０ｍｍ×縦寸法２７５ｍｍの底板（２ａ）（２ａ）をそれぞれ設けている。そして、天板（１）裏面の左右脚板（２）内側には、寸法形状が、板厚寸法３ｍｍ×幅寸法２５ｍｍ×長さ寸法２６０ｍｍの回動停止板（1ａ）（1ａ）をそれぞれ設けて脚板（２）を開いた時、垂直位置で止める仕組みに成っている。
【００１１】
そして、天板（１）下面の左右二箇所に設けた回動停止板（1ａ）裏面部両端には、蝶番（Ｔ）（Ｔ）を二個×二箇所のビス等の係止部材（Ｂ）でそれぞれ固着し、脚板（２）が蝶番の枢軸を支点にして水平方向から垂直方向にかけて９０度回動出来るように成っている。又、脚板（２）の下部中央には松の木の葉模様を模った切抜き穴（２ｃ）をそれぞれ設けている。更に左右二箇所に設けた脚板（２）の上下方向のほぼ中程一端に、補強板（３）を固定する為の係止用凹部（２ｂ）（２ｂ）をそれぞれ設けている。
【００１２】
又、脚板（２）と脚板（２）間の係止用凹部（２ｂ）（２ｂ）にそれぞれ嵌挿して設ける補強板（３）の寸法形状は、板厚寸法１２ｍｍ×幅寸法５１７ｍｍ×奥行き寸法１２０ｍｍで、左右両端には脚板（２）の係止用凹部（２ｂ）（２ｂ）に嵌挿し固着する為の係止用凸部（３ａ）（３ａ’）をそれぞれ設けている。
【００１３】
又、この考案の天板（１）と脚板（２）補強板（３）は黒色の漆で塗装され、天板（１）上面四周には階段状の彫刻模様を施し、その部分を茶系色に彩り高級感を持たせている。
【００１４】
次に、この考案の取り扱い方法について説明すると、図４・図５に示す様に使用時は左右両脚板（２）（２）を天板（１）下面に対して、垂直方向に回動し、且つ、補強板（３）の左右係止用凸部（３ａ）（３ａ’）を左右両脚板（２）（２）の係止用凹部（２ｂ）（２ｂ）にそれぞれ嵌挿し固着して使用する。
【００１５】
又、未使用時は補強板（３）の左右係止用凸部（３ａ）（３ａ’）を左右それぞれの脚板（２）（２）の係止用凹部（２ｂ）（２ｂ）から分離し、左右両脚板（２）（２）をそれぞれ水平に折り畳んで、補強板（３）と一緒に収納する。
【産業上の利用可能性】
【００１６】
この考案の折り畳み式経机は、誰でも簡単に折り畳み収納可能で、見栄えが良く、且つ、構造が簡素でコスト的にも安価である為、多くの仏壇・仏具販売関係市場に寄与する点で産業上の利用可能性を有する。
【図面の簡単な説明】
【００１７】
【図１】この考案の一実施例を示し、（Ａ）は平面図で、（Ｂ）は正面図で、（Ｃ）は底面図である。
【図２】この考案の一実施例を示し、（Ａ）は右側面図で、（Ｂ）は左側面図である。
【図３】この考案の一実施例を示し、（Ａ）は図１（Ｂ）のａ-ａ矢視断面図で、（Ｂ）は図１（Ｂ）のｂ-ｂ矢視断面図である。
【図４】この考案の使用例を示し、（Ａ）は経机反転時の脚板部開閉要領を示す正面図で、（Ｂ）は図４（Ａ）のａ部拡大詳細図である。
【図５】この考案の使用例を示し、（Ａ）は経机の補強板の引き抜き要領を示す斜視図で、（Ｂ）は経机反転時の脚板部の収納要領を示す斜視図である。
【符号の説明】
【００１８】
１  天板
１ａ  回動停止板
２  脚板
２ａ  底板
２ｂ  係止用凹部
２ｃ  切抜き穴
３  補強板
３ａ  係止用凸部
３ａ’  係止用凸部
Ｂ  ビス等の係止部材
Ｔ  蝶番
【図１】
0003127400.tif 000003
【図２】
0003127400.tif 000004
【図３】
0003127400.tif 000005
【図４】
0003127400.tif 000006
【図５】
0003127400.tif 000007